(57)【要約】  【課題】エンジンが自動停止されない理由あるいは自動再始動の理由を把握できるようにする。  【解決手段】コントローラＵによって、自動停止禁止条件が成立していないことを条件としてエンジンが自動停止され、エンジン自動停止後に前記自動停止禁止条件が成立したときはエンジンが自動再始動される。車両停止時にエンジンの自動停止が禁止されたときの自動停止禁止の理由またはエンジンの自動再始動の理由が、コントローラＵ内の憶手段に記憶される。【選択図】  図１
2014047637.tif 000002
【特許請求の範囲】
【請求項１】
車両停止時に、あからじめ設定された自動停止禁止条件が成立していないことを条件としてエンジンを自動停止し、エンジン自動停止後に前記自動停止禁止条件が成立したときはエンジンを自動再始動するようにしたエンジン制御手段と、
車両停止時にエンジンの自動停止が禁止されたときの自動停止禁止の理由またはエンジンの自動再始動の理由を記憶する記憶手段を備えている、
ことを特徴とする車両用エンジン自動停止装置。
【請求項２】
請求項１において、
前記記憶手段は、自動停止禁止の理由毎またはエンジンの自動再始動の理由毎に、その発生回数を合わせて記憶する、ことを特徴とする車両用エンジン自動停止装置。
【請求項３】
請求項１または請求項２において、
前記記憶手段は、さらに、自動停止禁止の理由毎またはエンジンの自動再始動の理由毎に、エンジンが自動停止されていた時間を合わせて記憶する、ことを特徴とする車両用エンジン自動停止装置。
【請求項４】
請求項１ないし請求項３のいずれか１項において、
前記記憶手段は、自動停止禁止の理由または自動再始動の理由が複数発生したときは、複数の理由全てについて記憶する、ことを特徴とする車両用エンジン自動停止装置。
【請求項５】
請求項１ないし請求項４のいずれか１項において、
前記記憶手段の記憶内容が、外部接続されるデータモニタに表示可能とされている、ことを特徴とする車両用エンジン自動停止装置。
【請求項６】
請求項１ないし請求項４のいずれか１項において、
前記記憶手段の記憶内容が、インストルメントパネルに設けられた車内モニタに表示可能とされている、ことを特徴とする車両用エンジン自動停止装置。
【請求項７】
請求項５または請求項６において、
前記記憶内容の表示が、自動停止禁止の理由毎または自動再始動の理由毎の発生回数あるいは自動停止の実行時間に応じて変更される、ことを特徴とする車両用エンジン自動停止装置。
【請求項８】
請求項７において、
前記記憶内容の表示が、発生回数の多い理由を優先して行われる、ことを特徴とする車両用エンジン自動停止装置。
【請求項９】
請求項７において、
前記記憶内容の表示が、自動停止の実行時間の短い理由を優先して行われる、ことを特徴とする車両用エンジン自動停止装置。
【発明の詳細な説明】
【技術分野】
【０００１】
本発明は、エンジンの自動停止および自動再始動を行うようにした車両用エンジン自動停止装置に関するものである。
【背景技術】
【０００２】
」
最近の車両では、燃費向上のために、車両停止時にエンジンを自動停止させるいわゆるアイドルストップを行うものが多くなっている。このエンジン自動停止は、あらかじめ設定された自動停止開始条件が成立したときに実行され、この自動停止開始条件としては、例えば、車速が零であること（車両停止であること）、ブレーキ操作されていること、アクセル操作されていないこと、変速機がニュートラル位置にある等の全ての条件を満足するものとして設定されることが一般的である。
【０００３】
エンジンの自動停止状態から、エンジンを自動再始動するために、あらかじめ自動再始動条件が設定されるが、これは、自動停止開始条件とされたいずれか１つの条件が成立しなかったときとされるのが一般的である（例えばアクセルが踏み込み操作されたときや、ブレーキ操作が解除されたとき）。
【０００４】
一方、エンジンの自動停止開始条件の他に、種々の観点から、自動停止が好ましくない状況のときは、自動停止を禁止するようにすることも行われており、この自動停止禁止条件としては、運転者が認識しない種々の要因がある。この自動停止禁止条件としては、例えば、バッテリ充電量が少ないとき、バッテリ消費電力が多いとき、エンジン冷却水温度や油温が低いとき、変速機の油温や油圧が低いとき、設定温度と実際の温度との差が大きいことに伴って空調装置による空調レベルが高いとき等、種々設定される。そして、この自動停止禁止条件は、その１つが成立したときに、自動停止が禁止されることになる。そして、自動停止中に、自動停止禁止条件が成立すると、エンジンが自動再始動されることも行われている。なお、自動停止開始条件を、自動停止禁止条件の一部の項目として設定することもでき、この場合は、自動停止開始条件を構成する各種要因の１つでも成立しない場合（例えばブレーキ操作されてない場合）に、自動停止禁止条件が成立したとみることができる。
【０００５】
エンジンの自動停止や自動再始動が適切に行われるようにすべく、特許文献１には、エンジンの自動停止装置の自己診断装置が開示されている。
【先行技術文献】
【特許文献】
【０００６】
【特許文献１】特許第３６１４０２１号公報
【発明の概要】
【発明が解決しようとする課題】
【０００７】
ところで、エンジンの自動停止禁止条件の項目としては、運転者が容易には確認できない、すなわち、運転者の操作に起因しない種々の要因が設定されることが多い。このため、車両が停止しているにもかかわらずエンジンが自動停止されない場合に、運転者によっては、自動停止装置が故障しているのではないかという疑惑を抱く原因となる。また、自動停止されないのは、車両停止中における運転者の操作に問題があるためではないかと疑って、例えばブレーキをいたずらに強く操作したりする等の不要な操作を行わせてしまう事態をひきおこす原因ともなってしまう。このようなことは、自動停止中に、運転者が発信する意思がないにもかかわらず自動停止禁止条件の成立によってエンジンが自動再始動される場合にも生じることになる。
【０００８】
また、車両によっては、自動停止されない頻度がやたらに高い場合や、自動停止時間が著しく短くなる場合の頻度がやたらに高い場合があり、このような原因を解明する必要にせまられることにもなる。
【０００９】
本発明は以上のような事情を勘案してなされたもので、その目的は、エンジンが自動停止されない理由あるいは自動再始動の理由を把握できるようにした車両用エンジン自動停止装置を提供することにある。
【課題を解決するための手段】
【００１０】
前記目的を達成するため、本発明にあっては、基本的に、自動停止されない理由あるいは自動再始動の理由を記憶手段に記憶させるようにしてある。具体的には、本発明にあっては次のような解決手法を採択してある。すなわち、請求項１に記載のように、
車両停止時に、あからじめ設定された自動停止禁止条件が成立していないことを条件としてエンジンを自動停止し、エンジン自動停止後に前記自動停止禁止条件が成立したときはエンジンを自動再始動するようにしたエンジン制御手段と、
車両停止時にエンジンの自動停止が禁止されたときの自動停止禁止の理由またはエンジンの自動再始動の理由を記憶する記憶手段を備えている、
ようにしてある。上記解決手法によれば、エンジンが自動停止されない理由または自動再始動された理由が、記憶手段に記憶されるので、この記憶手段に記憶されている記憶内容を確認することにより、運転者は、自動停止されない理由や自動再始動された理由を明確に認識して、自動停止装置に関して不要な疑惑をいだいてしまう事態を防止することができる。また、記憶内容を確認することにより、自動停止されている時間を長くするにはどうしたらよいかを学習する機会ともなる。一方、車両の整備者にあっては、運転者から自動停止されない頻度が高いとか、自動再始動されてしまう頻度が高いというクレームに対して、記憶内容を確認することにより運転者に対して適切なアドバイスを行うことができ、また自動停止装置そのものや自動停止に関連した各種センサの故障発見等にもつながることになる。
【００１１】
上記解決手法を前提とした好ましい態様は、請求項２以下に記載のとおりである。すなわち、
前記記憶手段は、自動停止禁止の理由毎またはエンジンの自動再始動の理由毎に、その発生回数を合わせて記憶する、ようにしてある（請求項２対応）。この場合、理由発生回数をも把握して、請求項１に対応した効果をより一層十分に発揮させることができる。
【００１２】
前記記憶手段は、さらに、自動停止禁止の理由毎またはエンジンの自動再始動の理由毎に、エンジンが自動停止されていた時間を合わせて記憶する、ようにしてある（請求項３対応）。この場合、自動停止されていた時間をも把握して、請求項１に対応した効果をより十分に発揮させることができる。
【００１３】
前記記憶手段は、自動停止禁止の理由または自動再始動の理由が複数発生したときは、複数の理由全てについて記憶する、ようにしてある（請求項４対応）。この場合、理由の全てについてもれなく記憶して、請求項１に対応した効果をより十分に発揮させることができる。
【００１４】
前記記憶手段の記憶内容が、外部接続されるデータモニタに表示可能とされている、ようにしてある（請求項５対応）。この場合、記憶内容を車両の整備者に報知して、燃費向上のための適切なアドバイスを運転者に行ったり、自動停止装置およびこれに関連した各種センサ等の異常等の早期発見の上で好ましいものとなる。
【００１５】
前記記憶手段の記憶内容が、インストルメントパネルに設けられた車内モニタに表示可能とされている、ようにしてある（請求項６対応）。この場合、請求項５に対応した効果を得つつ、インストルメントパネルに設けた表示モニタを利用して容易に記憶内容を確認して、運転者が燃費向上のための学習に役立てる等の上で好ましいものとなる。
【００１６】
前記記憶内容の表示が、自動停止禁止の理由毎または自動再始動の理由毎の発生回数あるいは自動停止の実行時間に応じて変更される、ようにしてある（請求項７対応）。この場合、必要性の高い表示を適切に行うようにする上で好ましいものとなる。
【００１７】
前記記憶内容の表示が、発生回数の多い理由を優先して行われる、ようにしてある（請求項８対応）。この場合、発生回数の多い理由を即座に知る上で好ましいものとなる。
【００１８】
前記記憶内容の表示が、自動停止の実行時間の短い理由を優先して行われる、自動停止実行時間が短くなる理由を即座に知る上で好ましいものとなる。
【発明の効果】
【００１９】
本発明によれば、記憶手段に記憶されている記憶内容を知ることにより、運転者がエンジン自動停止装置について不必要な疑念をもってしまう事態を防止することができ、また記憶内容に基づいて燃費向上に役立てたり、異常や故障の早期発見等を行うことができる。
【図面の簡単な説明】
【００２０】
【図１】本発明の一実施形態を示す制御系統図。
【図２】エンジン自動停止が禁止されたときの理由と自動停止時間とを記憶しておくためのマップの一例を示す図。
【図３】エンジンが自動再始動されたときの理由と自動停止時間とを記憶しておくためのマップの一例を示す図。
【図４】エンジンの自動停止が実行されたときの制御例を示すタイムチャート。
【図５】エンジンの自動停止が禁止されたときの制御例を示すタイムチャート。
【図６】本発明の制御例を示すフローチャート。
【図７】本発明の制御例を示すフローチャート。
【発明を実施するための形態】
【００２１】
図１において、Ｕは、マイクロコンピュータを利用して構成されたエンジン制御手段としてのコントローラである。このコントローラには、各種センサあるいはスイッチＳ１〜Ｓ８からの信号が入力されて、各種機器類１〜４を制御するようになっている。各種機器類のうち、１は燃料噴射弁であり、２はエンジンのスタータモータへ給電するスタータリレーであり、３はインストルメンパネルに設けた表示手段としてのディスプレイであり、４はコントローラＵに着脱自在に接続される表示手段としての外部モニタ（データモニタ）を含むドライブレコーダである。
【００２２】
コントローラＵは、車両停止時には、基本的にエンジンを自動停止させるように制御する（燃料噴射弁１からの燃料噴射カット）。また、コントローラＵは、エンジン自動停止の後のエンジン自動再始動を、スタータモータ２へ給電してスタータモータを駆動すると共に、燃料噴射弁１からの燃料噴射を再開させることによって行うようになっている。なお、実施形態では、１回の車両停止で、エンジン自動停止は最大で１回のみ行うようになっており、したがってエンジンの自動再始動も最大で１回のみとされている。
【００２３】
前記各センサ類Ｓ１〜Ｓ８は、エンジンの自動停止制御に必要な信号を検出するもので、その検出内容について、エンジンの自動停止禁止条件と関連付けて説明することとする。すなわち、エンジンの自動停止禁止条件は、以下の各条件の１つでも成立することによって成立するようにされている。なお、エンジンの自動停止開始条件は、自動停止禁止条件の中に含ませるようにしてある。
【００２４】
自動停止禁止条件１
（１）車速センサＳ１で検出される検出車速が０でないとき。
（２）フットブレーキあるいはパーキングブレーキが操作されたときにＯＮされるブレーキセンサが、ＯＮされていないとき。
（３）アクセルペダルが踏み込み操作されたときにＯＮとなるアクセルセンサＳ３が、ＯＮのとき。
（４）変速機がニュートラルのときにＯＮとされるニュートラルセンサＳ４が、ＯＮでないとき。
（５）エンジン自動停止を運転者の意思によってキャンセル（禁止）するＩＳスイッチＳ５が、ＯＮされているとき。
（６）エンジン回転数を検出する回転数センサＳ６での検出回転数が、あらかじめ設定された回転数（安定したときのアイドル回転数よりもかなり高い回転数）以上の高回転であるととき。
（７）バッテリ電圧を検出するバッテリセンサＳ７での検出電圧が、あらかじめ設定された所定電圧以下の低電圧のとき。
【００２５】
センサ類Ｓ８は、センサＳ１〜Ｓ７での検出信号の他、エンジンの自動停止、自動再始動に関連した信号を検出するものであり、各種機器類から信号（情報）を受け取るようになっている。このセンサ類Ｓ８で検出される信号について、エンジンの自動停止禁止条件と関連させて説明することとする。
【００２６】
自動停止禁止条件２
各種センサ類Ｓ８に含まれる検出信号に応じて、エンジンの自動停止禁止条件として、さらに次のようなものが設定される。
（１）バッテリに関連して、充電量があらかじめ設定された所定充電量以下のとき、消費電流があらかじめ設定された所定電流以上のとき、あるいはバッテリ制御システムが異常のとき（異常信号発生のとき）。
（２）空調装置に関連して、室内空調要求が大のとき（設定風量が大、実際の温度とマニュアル設定される設定温度との偏差が大のとき）、外気温度が極暑温度または極寒温度のとき。
（３）運転者によるハンドル舵角がニュートラル位置から所定の小舵角範囲内にないとき。
（４）変速機に関連して、油温が所定温度範囲内にないとき、油圧が所定圧力範囲内にないとき、変速機異常信号が発生されているとき、クラッチ（ロックアップクラッチを含む）に異常があるとき。
（５）エンジンに関連して、冷却水温度が所定温度範囲にないとき、吸気温度が高すぎるとき、大気圧が低いとき、負圧式倍力装置に供給するブレーキ負圧が不足するとき、あるいはエンジンシステムの異常信号が発生されたとき。
（６）車体回りに関連して、イグニッションキーが車外に持ち出されているとき（スマートキーレスエントリーシステムの場合）、シートベルトが取外されているとき、いずれかのドアが開いているとき、あるいはボンネットが開いているとき。
（７）路面の傾斜角度が大きいとき。
【００２７】
勿論、上記自動停止禁止条件１および２は、一例であり、上記以外の条件を自動停止禁止条件として設定したり、上記条件の一部を削除したものであってもよいことは勿論のことである。なお、例えば、ブレーキを操作していないこと、ハンドル舵角がほぼ中立位置にないこと、アクセル操作していないこと等の運転者の操作に起因する自動停止禁止条件は、運転者にとって明確に認識できるものである。この一方、バッテリ充電量や、変速機の温度等々は、運転者はただちには認識できないものである。ただちに認識できない自動停止禁止条件に起因してエンジンの自動停止が禁止されたり、あるいは発進する意思のないのにエンジンが自動再始動されてしまう場合に、運転者は、自動停止装置に異常があるのでは等の懸念をもちやすいものとなる。
【００２８】
図２は、コントローラＵが有する記憶手段（不揮発性メモリ）での記憶用のマップの一例を示すもので、自動停止禁止条件が成立したことによって自動停止が行われないことの理由が個々にＸ軸に設定される。また、Ｙ軸に、自動停止実行時間が設定される。なお、Ｙ軸上においてもっとも下方のＩＳ不可（アイドルストップなし）は、自動停止実行時間が０の場合となる。
【００２９】
図２において、横軸の自動停止禁止の理由として、バッテリ要求からの理由項目と、空調要求からの理由項目と、ドライバ（運転者）要求からの理由項目と、ＡＴ（自動変速機）要求からの理由項目と、エンジン要求からの理由項目と、左記以外の理由項目とに分けられている。そして、各理由項目毎に、上記自動停止実行時間が設定されている。例えば、バッテリ要求項目では、前述のように、充電量が少ないために自動停止禁止した場合や、消費電流が多大なために自動停止禁止した場合等、複数要因を含むものとなっている。
【００３０】
図２のマップにおいて、例えば、バッテリ充電量が少ないことに伴う自動停止禁止が発生したときは、バッテリ要求項目でかつ対応する自動停止実行時間の欄が１つカウントアップされる。バッテリ充電量が少ないことに伴う自動停止禁止の発生が増加する毎に、カウント数が増加されることになる。例えば、バッテリ充電量が少ないことと空調要求が大きいこととの両方によって自動停止禁止が発生したときは、この両方の要求項目について、対応する自動停止実行時間の欄がカウントアップされる。
【００３１】
図３は、エンジンが自動停止された後に、自動再始動された理由とそれまでの自動停止実行時間とを記憶しておくためのマップである。図３においても、記憶のさせ方等は図２の場合と同じなので、その重複した説明は省略する。
【００３２】
図４は、エンジンの自動停止が実行されたときの一例を示すタイムチャートである。この図４において、走行状態から車速が低下して、車速が０になる。その後、自動停止禁止条件が成立していないときは、ｔ１時点でエンジンが自動停止され、これに伴いエンジン回転数がアイドル回転数から０にまで低下される。
【００３３】
自動停止開始となるｔ１時点から、自動停止の実行時間がカウントアップされていき、自動停止が長くなるほど、実行時間のカウント数が大きくなる。ｔ２時点では、自動停止禁止条件が成立して、エンジンが自動再始動されて、エンジン回転数がアイドル回転数にまで上昇されていく。自動再始動が開始されたｔ２時点で、自動停止実行時間のカウントアップが終了されると共に、図３に示すマップへの記憶が行われる（図４では記憶実行時間が１秒として設定されている）。ｔ２時点で成立した自動停止禁止条件に対応した要求項目（例えばバッテリ充電量の低下）のうち、ｔ２時点までの自動停止実行時間に対応した時間欄のカウント数がカウントアップされる。（すなわち、ｔ１からｔ２までの時間が１５秒であったとすると、図３の“IS復帰理由”が“バッテリ要求”で、“IS実行時間”が“０〜３０秒”に対応する欄に記憶されているカウント数が＋１されて更新記憶される）
図５は、車両が停止しても、エンジンが自動停止されなかった場合の一例を示すタイムチャートである。この図５において、車速が低下して、ｔ１１時点で車速が０になった車両停止時となる。ただし、ｔ１１時点では、自動停止禁止条件が成立しているため、エンジンは自動停止されることなく、アイドル回転数に維持される。そして、ｔ１２時点で車速が０以外になって（発進検出）、図２に示すマップに、自動停止禁止となった理由と自動停止の実行時間（図５の場合は０時間）とが記憶される。
【００３４】
図２、図３に示すようなマップへの記憶内容は、インストルメントパネルに設けたディスプレイ３を操作することによって、任意の時期に表示可能とされる。運転者は、ディスプレイ３への記憶内容の表示をみて、自動停止の頻度が少ないと感じていても、例えばバッテリ充電量が少ないために自動停止が禁止された等のことを知ることによって、自動停止装置に異常がないことを知ることができる。また、車両整備者は、バッテリの補充充電を行うことを運転者に勧める等の助言を行うことが可能となる。
【００３５】
次に、前述したコントローラＵによるエンジンの自動停止および自動再始動の制御例について、図６，図７のフローチャートを参照しつつ説明する。なお、以下の説明でＱはステップを示す。まず、図６のＱ１において、各種センサ類Ｓ１〜Ｓ８からの信号が入力される。この後、Ｑ２において、フラグが０であるか否かが判別される。このフラグは、１のときがエンジンの自動停止実行中であることを示し、当初は０にイニシャライズされている。
【００３６】
当初は、Ｑ２の判別でＹＥＳとなり、このときは、Ｑ３において、自動停止禁止条件が成立しているか否かが判別される。このＱ３の判別でＮＯのときは、Ｑ４において、エンジンが自動停止される（燃料カット）。この後、Ｑ５において、自動停止中であることを示すべく、フラグが１にセットされる。この後、Ｑ６において、自動停止実行時間のカウントが開始される。
【００３７】
Ｑ６の後、Ｑ１に戻るが、その後のＱ２においては、フラグが１にセットされているので、Ｑ２の判別でＮＯのとなる。このときは、Ｑ７において、自動停止解除条件が成立したか否かが判別される。このＱ７での判別は、自動停止禁止条件が成立しているか否かの判別となる。このＱ７の判別でＮＯのときは、Ｑ１に戻り、自動停止が実行され続ける（自動停止実行時間のカウント数も増大）。
【００３８】
Ｑ７の判別でＹＥＳのときは、Ｑ８において、エンジンが自動再始動される（スタータモータ駆動と燃料噴射再開）。この後、Ｑ９において、フラグが０にリセットされる。引き続き、Ｑ１０において、自動停止実行時間のカウントが終了される。
【００３９】
Ｑ１０の後、Ｑ１１において、エンジンの自動再始動の理由と自動停止実行時間とが対応付けられて、記憶手段に記憶される。Ｑ１０からＱ１１を経るときは、図３に示す自動再始動の理由が設定されたマップへの記憶とされる。
【００４０】
前記Ｑ３の判別でＹＥＳのとき、つまり、車両が停止していても、自動停止禁止条件が成立しているときは、Ｑ１２に移行される。つまり、Ｑ４以下の処理を経ることがなく、エンジンの自動停止は行われないときとなる。このときは、Ｑ１２において、車両が停止状態であるか否かが判別される。このＱ１２の判別でＹＥＳのときは、Ｑ１に戻る。
【００４１】
Ｑ１２の判別でＮＯのときは、Ｑ１１において、記憶手段に、自動停止が禁止された理由と自動停止実行時間とが対応付けられて記憶される。Ｑ１２からＱ１１を経るときは、図２に示すマップに、自動停止禁止理由項目と自動停止実行時間とが対応付けられて記憶されることになる。
【００４２】
図７は、図６のＱ１１での処理内容の詳細を示すものである。まず、Ｑ２１において、自動停止解除条件による場合であるか否かが判別される（図６のＱ７での判別がＹＥＳのときの場合であるか否かの判別）。このＱ２１の判別でＹＥＳのときは、Ｑ２２において、自動停止解除理由の項目について、自動停止実行時間に対応欄でのカウント数がカウントアップされる（図３のマップのデータ更新）。また、Ｑ２１の判別でＮＯのときは、図６のＱ１２からＱ１１を経たときであり、このときは、自動停止禁止理由の項目について、自動停止実行時間の０の対応欄でのカウント数がカウントアップされる（図２のマップのデータ更新）。
【００４３】
Ｑ２２，Ｑ２３の後は、それぞれ、Ｑ２４において、記憶されている理由がディスプレイ３に表示される。この表示は、自動停止が実行されないとき、あるいは自動再始動される毎に自動表示されるので、運転者は、自動停止に関する情報を即座に認識することができる。なお、Ｑ２４での表示は、例えばインストルメントパネルに設けた表示要求スイッチが操作された場合を条件として実行するようにしてもよい。
【００４４】
Ｑ２４の後、Ｑ２５において、コントローラＵの記憶手段に対して、モニタを有するＯＤＲ（ドライブレコーダ）が外部から接続されたか否かが判別される。このＱ２６の判別でＹＥＳのときは、外部接続されたＯＤＲに対して記憶内容が出力（外部モニタへの表示）される。ＯＤＲは、入力された記憶内容を記憶しておく記憶手段を有しており、操作者の操作に応じて、記憶内容を適宜外部モニタに表示させることができる。
【００４５】
記憶内容の表示に際しては、自動停止禁止の理由あるいは自動再始動の理由の発生回数に応じて、あるいは自動停止実行時間に応じて変更することができる。特に、表示面積に限界もあるので、発生回数の多い理由順に優先表示させるようにしてもよく、あるいは自動停止の実行時間の短い理由順に優先表示させるようにしてもよい。また、マニュアル操作によって、発生回数の多い理由順と自動停止実行時間の短い順とを選択できるようにしてもよい。なお、表示順は、上記の場合に限らず、例えば、発生理由が新しい順に表示させるようにすることもできる。
【００４６】
以上実施形態について説明したが、本発明は、実施形態に限定されるものではなく、特許請求の範囲の記載された範囲において適宜の変更が可能であり、例えば次のような場合をも含むものである。自動停止禁止条件とするか自動停止開始条件とするかは、単なる呼び方の相違にすぎないので、自動停止禁止条件のうちの一部を自動停止開始条件として設定することもでき、この場合、運転者のマニュアル操作に伴うものを自動停止開始条件として設定するのが好ましい。記憶手段の記憶内容を表示する表示手段は、インストルメントパネルに設けたディスプレイのみであってもよく、あるいは外部接続されるモニタ画面のみであってもよい。勿論、本発明の目的は、明記されたものに限らず、実質的に好ましいあるいは利点として表現されたものを提供することをも暗黙的に含むものである。
【産業上の利用可能性】
【００４７】
本発明はアイドルストップを行う車両に適用して好適である。
【符号の説明】
【００４８】
Ｕ：コントローラ（制御手段）
Ｓ１：車速センサ
Ｓ２：ブレーキセンサ
Ｓ３：アクセルセンサ
Ｓ４：レンジ位置センサ
Ｓ５：ＩＳキャンセルスイッチ
Ｓ６：エンジン回転数センサ
Ｓ７：バッテリ電圧センサ
Ｓ８：センサ（各種情報）
１：燃料噴射弁
２：スタータリレー
３：ディスプレイ（表示手段）
４：ドライブレコーダ
【図１】
2014047637.tif 000003
【図２】
2014047637.tif 000004
【図３】
2014047637.tif 000005
【図４】
2014047637.tif 000006
【図５】
2014047637.tif 000007
【図６】
2014047637.tif 000008
【図７】
2014047637.tif 000009